(57)【要約】      （修正有）【課題】ライブビュー、動画撮影の状態から静止画撮影するためのシャッタチャージを、素早く行うことができるカメラを提供する。【解決手段】ミラー２がアップ位置に退避し、先幕が走行し、後幕がチャージした状態であるライブビューの状態から、チャージカム３６を９０°逆転させることにより、ミラーダウンレバー３９を回転させずに、シャッタチャージレバー３７のみを左旋し、ミラー２をアップ位置に保持した状態で先幕のみをチャージする。【選択図】図３
2008096606.tif 000002
【特許請求の範囲】
【請求項１】
撮影光学系によって結像された光束を電気信号に変換する撮像素子と、
前記撮影光学系の光束を観察光学系に導くダウン位置と、撮影光路外のアップ位置との間で駆動されるミラーと、
前記ミラーを駆動するミラー駆動部と、
先幕及び前記先幕に対して所定の時間差で走行することにより、前記光束を前記撮像素子に露光させる後幕を有するシャッタと、
正動作により前記先幕及び前記後幕をチャージし、逆動作により前記先幕をチャージするシャッタ駆動部と、
前記ミラーがアップ位置にあり前記先幕及び前記後幕が走行した露光終了後の状態から、前記ミラー駆動部を制御して、前記ミラーを前記ダウン位置へと駆動し、前記シャッタ駆動部を前記正動作させて、前記先幕及び前記後幕をチャージし、前記ミラーが退避し前記先幕が走行した開状態から、前記シャッタ駆動部を前記逆動作させて、前記先幕をチャージする制御部と、
を備えるカメラ。
【請求項２】
請求項１に記載のカメラにおいて、
前記制御部は、
前記露光終了後の状態からの前記正動作による前記先幕のチャージを、前記ミラーを前記ダウン位置へと駆動開始した後に行うこと、
前記開状態からの前記逆動作による前記先幕のチャージを、前記ミラーを駆動する前に終了すること、
を特徴とするカメラ。
【請求項３】
請求項１又は請求項２に記載のカメラにおいて、
前記シャッタ駆動部は、シャッタ原動部と、前記シャッタ原動部の動作に応じて動作され、前記先幕のチャージを行うシャッタ従動部とを備えること、
を特徴とするカメラ。
【請求項４】
請求項１から請求項３までのいずれか１項に記載のカメラにおいて、
前記ミラー駆動部は、ミラー原動部と、前記ミラー原動部の動作に応じて動作され、前記ミラーを前記ダウン位置へと駆動するミラー従動部とを備えること、
を特徴とするカメラ。
【請求項５】
請求項１から請求項４までのいずれか１項に記載のカメラにおいて、
前記シャッタ駆動部の少なくとも一部は、前記ミラー駆動部の少なくとも一部を兼用すること、
を特徴とするカメラ。
【請求項６】
請求項５に記載のカメラにおいて、
前記シャッタ原動部及び前記ミラー原動部の駆動源を兼用すること、
を特徴とするカメラ。
【請求項７】
請求項１から請求項６までのいずれか１項に記載のカメラにおいて、
前記シャッタ駆動部は、その正転により前記正動作を行い、その逆転により前記逆動作を行うチャージモータを備えること、
を特徴とするカメラ。
【請求項８】
請求項１から請求項７までのいずれか１項に記載のカメラにおいて、
前記撮影光学系の絞りを、絞り位置と開放位置との間で駆動する絞り駆動部を備え、
前記制御部は、前記露光終了後の状態から、前記絞り駆動部を制御して、前記絞りを、前記絞り位置から開放位置に駆動すること、
を特徴とするカメラ。
【請求項９】
請求項１から請求項８までのいずれか１項に記載のカメラにおいて、
前記開状態で、前記撮像素子に結像され、電気信号に変換された映像を表示する表示部を備えること、
を特徴とするカメラ。
【請求項１０】
請求項１から請求項９までのいずれか１項に記載のカメラにおいて、
前記開状態で、前記撮像素子を用いた動画撮影が可能なこと、
を特徴とするカメラ。
【発明の詳細な説明】
【技術分野】
【０００１】
本発明は、撮像素子が捉えた画像データを電子モニタに表示するカメラに関するものである。
【背景技術】
【０００２】
従来、デジタル一眼レフカメラには、光束をＣＣＤ、ＣＭＯＳ等の撮像素子に結像させ、撮像素子で捉えた画像を利用してリアルタイムに電子モニタで表示するスルー画表示機能（ライブビュー機能）を備えるものがあった（例えば、特許文献１）。スルー画表示機能は、ミラーを撮影光路から退避させ、シャッタを先幕のみ走行させ、撮像素子により画像を捉えて、この画像を、電子モニタで表示するというものである。
しかし、スルー画表示をしている状態から、静止画撮影をする場合、高品質の画像を取得するには、一度、シャッタをチャージして撮像素子への光束を遮る必要がある。この一連の工程において、カメラは、ミラーをアップさせている状態から、ミラーをダウンし、アップさせる必要があった。つまり、必要がないのに、ミラーをダウンさせなければならないため、静止画撮影までの準備に時間がかかり、また、無駄に電力を消費しているという問題があった。
【特許文献１】特開２００５−４５５４４号公報
【発明の開示】
【発明が解決しようとする課題】
【０００３】
本発明の課題は、ライブビュー、動画撮影等の開状態から静止画撮影するためのシャッタチャージを、素早く行うことができるカメラを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、撮影光学系によって結像された光束を電気信号に変換する撮像素子（４）と、前記撮影光学系の光束を観察光学系に導くダウン位置と、撮影光路外のアップ位置との間で駆動されるミラー（２）と、前記ミラー（２）を駆動するミラー駆動部（１０，３０，３６ｂ，３９等）と、先幕（３ａ）及び前記先幕（３ａ）に対して所定の時間差で走行することにより、前記光束を前記撮像素子（４）に露光させる後幕（３ｂ）を有するシャッタ（３）と、正動作により前記先幕（３ａ）及び前記後幕（３ｂ）をチャージし、逆動作により前記先幕（３ａ）をチャージするシャッタ駆動部（１０，３０，３６ａ，３７等）と、前記ミラー（２）がアップ位置にあり前記先幕（３ａ）及び前記後幕（３ｂ）が走行した露光終了後の状態から、前記ミラー駆動部（１０，３０，３６ｂ，３９等）を制御して、前記ミラー（２）を前記ダウン位置へと駆動し、前記シャッタ駆動部（１０，３０，３６ａ，３７等）を前記正動作させて、前記先幕（３ａ）及び前記後幕（３ｂ）をチャージし、前記ミラー（２）が退避し前記先幕（３ａ）が走行した開状態から、前記シャッタ駆動部（１０，３０，３６ａ，３７等）を前記逆動作させて、前記先幕（３ａ）をチャージする制御部（４５，１４５）と、を備えるカメラである。
【０００５】
請求項２の発明は、請求項１に記載のカメラにおいて、前記制御部（４５，１４５）は、前記露光終了後の状態からの前記正動作による前記先幕（３ａ）のチャージを、前記ミラー（２）を前記ダウン位置へと駆動開始した後に行うこと、前記開状態からの前記逆動作による前記先幕（３ａ）のチャージを、前記ミラー（２）を駆動する前に終了すること、を特徴とするカメラである。
請求項３の発明は、請求項１又は請求項２に記載のカメラにおいて、前記シャッタ駆動部（１０，３０，３６ａ，３７等）は、シャッタ原動部（３６ａ）と、前記シャッタ原動部（３６ａ）の動作に応じて動作され、前記先幕（３ａ）のチャージを行うシャッタ従動部（３７）とを備えること、を特徴とするカメラである。
請求項４の発明は、請求項１から請求項３までのいずれか１項に記載のカメラにおいて、前記ミラー駆動部（１０，３０，３６ｂ，３９等）は、ミラー原動部（３６ｂ）と、前記ミラー原動部（３６ｂ）の動作に応じて動作され、前記ミラー（２）を前記ダウン位置へと駆動するミラー従動部（３９）とを備えること、を特徴とするカメラである。
請求項５の発明は、請求項１から請求項４までのいずれか１項に記載のカメラにおいて、前記シャッタ駆動部（１０，３０，３６ａ，３７等）の少なくとも一部は、前記ミラー駆動部（１０，３０，３６ｂ，３９等）の少なくとも一部を兼用すること、を特徴とするカメラである。
請求項６の発明は、請求項５に記載のカメラにおいて、前記シャッタ原動部（３７）及び前記ミラー原動部（３９）の駆動源（３１）を兼用すること、を特徴とするカメラである。
請求項７の発明は、請求項１から請求項６までのいずれか１項に記載のカメラにおいて、前記シャッタ駆動部（１０，３０，３６ａ，３７等）は、その正転により前記正動作を行い、その逆転により前記逆動作を行うチャージモータ（３１）を備えること、を特徴とするカメラである。
請求項８の発明は、請求項１から請求項７までのいずれか１項に記載のカメラにおいて、前記撮影光学系の絞り（５１）を、絞り位置と開放位置との間で駆動する絞り駆動部（１２０，１２５等）を備え、前記制御部（１４５）は、前記露光終了後の状態から、前記絞り駆動部（１２０，１２５等）を制御して、前記絞りを、前記絞り位置から開放位置に駆動すること、を特徴とするカメラである。
請求項９の発明は、請求項１から請求項８までのいずれか１項に記載のカメラにおいて、前記開状態で、前記撮像素子（４）に結像され、電気信号に変換された映像を表示する表示部（５）を備えること、を特徴とするカメラである。
請求項１０の発明は、請求項１から請求項９までのいずれか１項に記載のカメラにおいて、前記開状態で、前記撮像素子（４）を用いた動画撮影が可能なこと、を特徴とするカメラである。
【発明の効果】
【０００６】
本発明によれば、ライブビュー、動画撮影等の開状態から静止画撮影するためのシャッタチャージを、素早く行うことができる。
【発明を実施するための最良の形態】
【０００７】
以下、図面等を参照して、本発明を適用したカメラの第１実施形態をあげて、さらに詳しく説明する。
［第１実施形態］
図１は、本実施形態のデジタル一眼レフカメラ１（以下、単に「カメラ１」という。）に撮影光学系を備えた交換レンズ５０を装着した状態の断面図である。図１（ａ）の状態は、初期状態、図１（ｂ）は、ライブビューの状態、図１（ｃ）〜図１（ｅ）は、ライブビューの状態から静止画撮影を行う状態をそれぞれ示す。
図１（ａ）に示すように、カメラ１は、ミラー２と、シャッタ３と、撮像素子４と、電子モニタ５と、ボディ側絞りレバー６と、光学ファインダー７とを備えている。
【０００８】
ボディ側絞りレバー６は、撮影光学系の絞り５１を、絞り位置（図１（ｃ）に示す位置）と開放位置（図１（ａ）に示す位置）との間で駆動するための部材である。ボディ側絞りレバー６は、交換レンズ５０のレンズ側絞りレバー５２を介して、絞り５１の駆動を行う。
ミラー２は、撮影光学系の光束（各図には、光軸Ｏのみ示す。）を光学ファインダー７に導くダウン位置（図１（ａ）に示す位置）と、撮影光路外に退避したアップ位置（図１（ｂ）に示す位置）との間で駆動される部材である。
シャッタ３は、先幕３ａ及び後幕３ｂを備え、撮像素子４への露光、遮光を行うための装置である。チャージされた先幕３ａ、後幕３ｂは、先幕係止ＭＧ、後幕係止ＭＧ（図示せず）に通電されることにより、それぞれ電気的に係止されている。先幕係止ＭＧ、後幕係止ＭＧは、選択された撮影モード（静止画撮影、ライブビューモード等）に応じて、その通電が適宜カットされ、先幕３ａ、後幕３ｂを走行させる。
【０００９】
撮像素子４は、撮影光学系によって結像された光束を電気信号に変換するための光−電気変換素子であり、例えば、ＣＣＤ、ＣＭＯＳ等である。
電子モニタ５は、ライブビューの状態において、撮像素子４に結像され電気信号に変換された画像をリアルタイムで表示するためのＬＣＤ等の表示部であり、この他に、記憶部（図示せず）に記録された撮影済みの静止画、動画を表示することができる。
光学ファインダー７は、スクリーン７ａに結像された被写体像を、ファインダー接眼窓７ｂへと導くためのペンタプリズム７ｃ等の観察光学系を備えた光学ユニットである。
【００１０】
次に、図１（ａ）〜図１（ｄ）の状態について説明する。
図１（ａ）は、光学ファインダー７によって被写体像が観察された状態である。この状態では、ミラー２がダウン位置にあるので撮影光学系の光束が観察光学系に導かれ、また、先幕３ａ及び後幕３ｂは、チャージされた状態である。
図１（ｂ）は、ライブビューモードが選択された状態である。この状態は、ミラー２がアップ位置に退避し、先幕３ａが走行し、後幕３ｂがチャージした開状態であり、光束が撮像素子４へと導かれ、撮像素子４が捉えた画像が電子モニタ５にリアルタイムに表示される。
【００１１】
図１（ｃ）〜図１（ｅ）は、図１（ｂ）のライブビューの状態から、静止画を撮影する状態を示す図である。
図１（ｃ）は、レリーズボタン（図示せず）が押されることにより、制御部４５（後述する）が、ボディ側絞りレバー５２を駆動して絞り５１の絞り込みを行ない、先幕３ａをチャージして撮像素子４を遮光した状態である。その後、図１（ｄ）に示すように、先幕３ａを走行させ、図１（ｅ）に示すように、露光時間経過後にシャッタ後幕３ｂを走行させて露光を終了する。露光終了後は、ミラー２がアップ位置にあり、先幕３ａ及び後幕３ｂが走行した状態となる。
【００１２】
図２は、本実施形態のカメラ１の内部構造を示す斜視図である。
図２に示すように、カメラ１は、ミラー・シャッタ駆動部１０と、絞り駆動部２０と、チャージ駆動部３０と、制御部４５とを備えている。
ミラー・シャッタ駆動部１０は、ミラー２を、ダウン位置からアップ位置に駆動し、また、先幕３ａ及び後幕３ｂを、チャージ状態から走行させるための駆動部である。ミラー・シャッタ駆動部１０は、ミラー係止Ｍｇ１１と、ミラー係止レバー１２と、ミラー駆動レバー１３と、シャッタメカ係止解除レバー１４と、シャッタ係止レバー１５とを備えている。
【００１３】
ミラー係止Ｍｇ１１は、電磁力によってミラー係止レバー１２の係止の解除及び係止するための電気部品である。
ミラー係止レバー１２は、ミラー駆動レバー１３の係止及びその解除をするための部材である。ミラー係止レバー１２は、ミラー係止Ｍｇ１１の係止が解除されると、バネ１２ａのバネ力により右旋され、ミラー駆動レバー１３の係止を解除する。
ミラー駆動レバー１３は、ミラー２をアップさせ、これと同時に、シャッタメカ係止解除レバー１４を左旋させるための部材である。ミラー駆動レバー１３は、ミラー係止レバー１２の係止が解除されると、バネ１３ａのバネ力により右旋されることにより、ミラー駆動ピン２ｂを押し上げてミラー２をアップ位置に駆動し、また、シャッタメカ係止解除レバー１４に摺接するピン１３ｂが、シャッタメカ係止解除レバー１４を左旋させる。
シャッタメカ係止解除レバー１４は、ミラー駆動レバー１３によって左旋されることにより、シャッタ係止レバー１５を右旋させるための部材である。
シャッタ係止レバー１５は、シャッタメカ係止解除レバー１４に右旋されることより、先幕３ａ及び後幕３ｂの係止を解除し、先幕３ａ及び後幕３ｂの走行を可能にするための部材である。
【００１４】
以上の構成によるミラーアップ動作、シャッタ走行動作を説明すると、最初に、ミラー係止Ｍｇ１１が通電されると、ミラー係止レバー１２の係止が解除され、ミラー係止レバー１２が右旋してミラー駆動レバー１３の係止を解除する。ミラー駆動レバー１３は、右旋してミラー２をアップさせると同時に、シャッタメカ係止解除レバー１４を左旋させる。シャッタメカ係止解除レバー１４は、シャッタ係止レバー１５を右旋して、先幕３ａ及び後幕３ｂの係止が解除される。但し、この状態では、先幕３ａ、後幕３ｂは、先幕係止ＭＧ、後幕係止ＭＧにより電気的に係止されているので、レリーズボタンが押されるまで走行することはない。
【００１５】
絞り駆動部２０は、絞り５１（図１参照）を開放位置から所定の絞り位置に駆動するための駆動部である。絞り駆動部２０は、絞りスタートＭｇ２１と、絞り係止Ｍｇレバー２２と、前述したボディ側絞りレバー６と、ギヤ２３，２４と、ラチェットギヤ２５と、フォトインタラプタ２６と、絞り係止Ｍｇ２７と、バネ２８と、停止レバー２９とを備えている。
絞りスタートＭｇ２１は、絞り係止Ｍｇレバー２２の係止及びその解除をするためのミラー係止Ｍｇ１１と同様な電気部品である。
絞り係止Ｍｇレバー２２は、バネ２２ａのバネ力により右旋され、ボディ側絞りレバー６の係止及びその解除をするための部材である。ボディ側絞りレバー６は、バネ６ａのバネ力により右旋されることにより、レンズ側絞りレバー５２を回転する。これにより、レンズ側絞りレバー５２が絞り５１の絞り込みを行なう。また、ボディ側絞りレバー６は、ギヤ２３に接続されたギヤ部６ｂを有している。
【００１６】
ギヤ２３，２４は、ボディ側絞りレバー６の回転力を、ラチェットギヤ２５に伝達するためのギヤ列である。
ラチェットギヤ２５は、絞り停止レバー２９によって、その回転が規制されることにより、ギヤ２４，２３を介して、ボディ側絞りレバー６の回転を停止するための部材である。ラチェットギヤ２５は、軸２５ａにより連結されたギヤ部２５ｂを有しており、このギヤ部２５ｂがギヤ２４に接続されている。ラチェットギヤ２５には、回転角度を検出するための小孔群２５ｃが、円周状に設けられている。
フォトインタラプタ２６は、ラチェットギヤ２５の回転角度から、絞り５１の絞り込み量を検出するための検出部である。フォトインタラプタ２６は、発光部及び受光部を備え、これらがラチェットギヤ２５を挟み込むように対向配置されており、小孔群２５ｃの通過に応じて、制御部４５にパルス信号を出力する。
絞り係止Ｍｇ２７、バネ２８、停止レバー２９からなる制止ユニットは、ラチェットギヤ２５の回転を、所定の回転角度で停止するための装置である。制御部４５が絞り係止Ｍｇ２７に通電すると、停止レバー２９の係止が解除され、停止レバー２９がバネ２８のバネ力により右旋して、停止レバー２９の先端部２９ａがラチェットギヤ２５の円周部に係合し、ラチェットギヤ２５の回転が停止する。
【００１７】
以上の構成によって、絞り５１が開放から所定の絞り値に絞り込まれる動作を説明する。絞り５１の制御は、ラチェットギヤ２５の回転角度を制御することにより行う。絞り５１の絞り込み量は、ラチェットギヤ２５の回転角度から一義的に決まるので、露出演算装置（図示せず）が指示するパルス数に達した時に、制御部４５は、絞り係止Ｍｇ２７に通電する。これにより、停止レバー２９が右旋してラチェットギヤ２５の回転が停止し、ギヤ２３，２４を介して、ボディ側絞りレバー６が回転停止し、絞り５１が、所定の絞り値に設定される。
【００１８】
チャージ駆動部３０は、ミラー２をアップ位置からダウン位置に駆動し、シャッタ３を走行した状態からチャージ状態に駆動し、絞り５１を絞り位置から開放位置に駆動するための駆動部である。チャージ駆動部３０は、チャージモータ３１と、ギヤ３２，３３，３４，３５と、チャージカム３６と、シャッタチャージレバー３７と、シャッタチャージ従動レバー３８と、ミラーダウンレバー３９と、チャージレバー４０と、モータ回転量検出ギヤ部４１とを備えている。
チャージモータ３１は、絞り駆動部２０、チャージ駆動部３０を駆動するステッピングモータ等の駆動源であり、その駆動軸の先端にギヤ部３１ａが設けられている。
ギヤ３２，３３，３４，３５は、チャージモータ３１の回転力を、チャージカム３６に伝達するためのギヤ列である。
【００１９】
チャージカム３６は、シャッタチャージレバー３７に摺接しシャッタチャージレバー３７を回転駆動させるカム面３６ａと、ミラーダウンレバー３９に摺接しミラーダウンレバー３９を駆動するためのピン３６ｂとが設けられた部材である。チャージカム３６は、ギヤ３５に一体で設けられており、ギヤ３５と一体で回転する。チャージカム３６は、カム面３６ａと、ピン３６ｂとを有している。
カム面３６ａは、シャッタチャージレバー３７に摺接し、チャージカム３６の回転に従動させて、シャッタチャージレバー３７を回転させる原動部である。ピン３６ｂは、ミラーダウンレバー３９に摺接し、チャージカム３６の回転に従動させてミラーダウンレバー３９を回転させる原動部である。このように、チャージカム３６は、シャッタ３を駆動する駆動部と、ミラー２を駆動する駆動部とを兼用する部材であり、１つのチャージモータ３１によって、シャッタ駆動とミラー駆動とを行うことができる。これにより、カメラ１は、部品点数、コストの削減をすることができ、また、構造をシンプルにすることができる。
【００２０】
シャッタチャージレバー３７は、チャージカム３６の回転に応じて回転される従動部であり、シャッタチャージ従動レバー３８を左旋させるための部材である。
シャッタチャージ従動レバー３８は、シャッタ３に接続され、先幕３ａ及び後幕３ｂのチャージを行なうために部材である。
ミラーダウンレバー３９は、チャージカム３６により回転される従動部であり、チャージレバー４０を左旋するための部材である。
チャージレバー４０は、ミラーダウンレバー３９によって左旋されることにより、ミラー駆動レバー１３のピン１３ｂを押し下げるための部材である。これにより、アップ位置にあるミラー２が、バネ２ａのバネ力により、ダウン位置に駆動する。また、チャージレバー４０は、ボディ側絞りレバー６のピン６ｃを押し上げ、絞り込まれた絞り５１を開放位置に復帰させる。
【００２１】
モータ回転量検出ギヤ部４１は、チャージモータ３１の回転角度を検出するための検出部である。モータ回転量検出ギヤ部４１は、ギヤ部４１ａと、円盤４１ｃと、小穴郡４１ｄと、フォトインタラプタ４１ｅとを備えている。
ギヤ部４１ａは、チャージモータ３１のギヤ部３１ａに接続されている。円盤４１ｃは、軸４１ｂによりギヤ部４１ａに連結されている。小孔郡３２ｄは、円盤４１ｃに円周状に設けられている。フォトインタラプタ４１ｅは、フォトインタラプタ２６と同様な電気部品であり、小孔郡３２ｄの通過に応じて、制御部４５にパルス信号を出力する。
モータ回転量検出ギヤ部４１は、以上の構成により、チャージモータ３１の回転に応じて、円盤４１ｃが回転し、フォトインタラプタ４１ｅが制御部４５にパルス信号を出力する。制御部４５は、このパルス信号に基づいて、チャージカム３６の回転角度を算出し、チャージモータ３１の制御を行う。
【００２２】
制御部４５は、カメラ１の各駆動部の電気部品（各係止Ｍｇ、チャージモータ３１）に接続され、カメラ１を統括的に制御するためのＣＰＵ等を備えた電気部品である。
【００２３】
次に、チャージ駆動部３０によるミラーダウン、シャッタチャージについて説明する。
図３は、本実施形態のチャージ駆動部３０によるミラーダウン、シャッタチャージを時系列的に示す平面図であり、図３（ａ）（図３（ａ−１）〜図３（ａ−４））は、チャージカム３６を正転（右回り）させて、露光終了後の状態からミラーダウン、シャッタチャージを行う状態を示し、図３（ｂ）（図３（ｂ−１）〜図３（ｂ−３））は、チャージカム３６を逆転（左回り）させて、ライブビューの状態からシャッタチャージを行う状態を示す。各図の下には、チャージカム３６の回転角度、ミラー２、先幕３ａ、後幕３ｂの状態を示す。なお、チャージカム３６の回転角度とは、チャージカム３６が初期位置から正転した場合の角度をいう。
図４（ａ）は、チャージカム３６の回転動作に対応した工程を示す図であり、図４（ｂ）は、ミラーダウン、シャッタチャージに用いられるチャージカム３６の軸トルクと、チャージカム３６の回転角度との関係を示すグラフである。
【００２４】
図３（ａ）、図４（ａ）に示すように、カメラ１は、チャージカム３６が回転角度０°から正転することにより、露光終了後の状態（図３（ａ−１）の状態）からシャッタチャージ完（図３（ａ−４））の状態とされる。
露光終了後の状態では、ミラー２がアップ位置、先幕３ａ及び後幕３ｂが走行した状態であり（図１（ｅ）参照）、チャージカム３６が９０°正転して、ピン３６ｂがミラーダウンレバー３９を右旋させ、図３（ａ−２）に示すように、ミラーダウンが完了する。この動作において、軸トルクは、ミラーダウンレバー３９の回転のみに用いられ、チャージカム３６面は、シャッタチャージレバー３７を回転させない（図４（ｂ）参照）。チャージカム３６の回転角度は、チャージモータ３１への通電パルスにより、制御部４５が制御する。
【００２５】
その後、図３（ａ−２）〜図３（ａ−４）に示すように、チャージカム３６は、さらに回転角度２７０°まで正転し、カム面３６ａがシャッタチャージレバー３７を左旋させる。これにより、シャッタチャージ従動レバー３８が右旋させられ、先幕３ａ及び後幕３ｂのチャージが行われる。図４（ｂ）に示すように、この動作において、チャージカム３６の軸トルクは、ミラーダウンレバー３９の回転からシャッタチャージレバー３７の回転へと切り替えられ（範囲Ａ参照）、ミラー２を駆動しない。
このように、制御部４５は、露光終了後の状態から、チャージカム３６を正転させて、チャージ駆動部３０を制御してミラー２をダウン位置へと駆動し、ミラー２をダウン位置へと駆動開始した後、さらにチャージカム３６を正転させて、先幕３ａ及び後幕３ｂをチャージする。
【００２６】
図３（ｂ）に示すように、カメラ１は、ライブビューの状態（図３（ｂ−１）の状態）からの先幕３ａのチャージ（図３（ｂ−２）の状態）を、チャージモータ３１を逆転させ、チャージカム３６を９０°逆転することにより行なう。
図３（ｂ−１）に示すように、ライブビューの状態では、ミラー２がアップ位置に退避し、先幕３ａが走行した状態、後幕３ｂがチャージした状態である。制御部４５は、この状態から、チャージカム３６を、回転角度２７０へと９０°逆転させる。これに応じて、図３（ｂ−２）に示すように、シャッタチャージレバー３７が左旋し、シャッタチャージ従動レバー３８が左旋することにより、先幕３ａのチャージが行われる。
図４に示すように、ライブビューの状態からの先幕３ａのチャージは、ミラー２を駆動する前に終了する（矢印Ｂ参照）。つまり、ミラーダウンレバー３９が回転されないので、ミラー２がアップ位置に保持された状態となり、ピン３６ｂが先幕３ａのみをチャージする。先幕３ａのチャージが完了すると、制御部４５は、ミラーダウン工程に到達する前に、チャージモータ３１を正転させ、チャージカム３６を正転（右旋）させる。チャージカム３６が初期位置（回転角度０°）に戻ると、初期位置ＳＷ４２がＯＮになり、制御部４５がチャージモータ３１の回転を停止し、カメラ１の撮影準備が終了する。
【００２７】
なお、ライブビューの状態からの先幕３ａのチャージは、チャージカム３６を正転させてミラー２をダウンさせた後に、さらにチャージカム３６を正転させて行なうこともできるが、この場合、静止画を撮影するために、再びミラー２をアップさせる必要がある。このため、ロスタイムが生じ、撮影までに時間がかかるという問題がある。また、このチャージ方法では、ミラー２をダウンさせるために電池を消耗させるので、撮影可能枚数が減少してしまうという問題がある。
これに対して、カメラ１は、ライブビューの状態から、制御部４５がチャージカム３６を逆転することにより、ミラーダウンすることなく、先幕３ａのみをチャージすることができる。これにより、シャッタチャージまでの時間を短縮し、また、電池の消耗を抑えることができる。
また、カメラ１は、ライブビューの状態からのシャッタチャージを、シャッタチャージ専用のチャージ機構や、ミラーダウン工程をパスするクラッチ機構等を用いることなく、従来の構造を利用して行なうことができる。これにより、カメラ１は、サイズの大型化、構造の複雑化をすることがなく、また、コストを抑えることができる。
【００２８】
次に、カメラ１の撮影動作について説明する。
図５（図５−１及び図５−２）は、本実施形態のカメラ１の撮影動作を示すフローチャートである。
最初に、ステップＳ１において、カメラ１の電源ＳＷ（図示せず）が操作されることにより、制御部４５が一連の動作を開始する。
ステップＳ２において、ライブビューモードが選択されなかった場合（ステップＳ２：ＮＯ）、制御部２８は、ステップＳ３１に進んで、図１（ｃ）〜図１（ｅ）に示す、光学ファインダー７を使用した通常の撮影動作を行う。通常の撮影動作においては、図１（ａ）の状態でレリーズボタンが押されると（ステップＳ３３）、制御部４５は、図１（ｃ）に示すように、ボディ側絞りレバー６を駆動して絞り込みを行なうと同時に、先幕３ａをチャージして一旦撮像素子５を遮光する。次に、制御部４５は、図１（ｄ）に示すように、先幕３ａを走行させ、露光時間経過後、図１（ｅ）に示すように、後幕３ｂを走行させて露光を終了する。
【００２９】
一方、ステップＳ２において、ライブビューモードが選択された場合（ステップＳ２：ＹＥＳ）、ステップＳ３において、制御部４５は、シャッタ３内部にある後幕係止Ｍｇ、後幕係止Ｍｇ（図示せず）に通電する。
ステップＳ４において、制御部４５は、前述したミラーアップ動作、シャッタ走行動作の処理を行い、ミラー２がアップ位置に退避され、先幕３ａ及び後幕３ｂが走行可能となる。
ステップＳ５において、制御部４５は、先幕係止Ｍｇのみの通電を解除して先幕３ａを走行させて撮像素子４に光束を結像させ、電子モニタ５にリアルタイムに表示を開始する。
ステップＳ６において、制御部４５は、撮像素子４が受光した光量を基に測光を行い、ライブビューモードにおける露光時間を算出する。
ステップＳ７において、制御部４５は、撮像素子４で捉えた光を基に測距を行う。測距は、例えば、撮像素子４で捉えた画像のコントラストが最もはっきりするポイントを合焦位置とするいわゆる山登りＡＦが用いられる。
【００３０】
ステップＳ８において、レリーズボタンが押されると（ステップＳ８：ＹＥＳ）、制御部４５は、ステップＳ９に進んで、絞り駆動部２０を駆動して、絞り５１を開放位置から所定の絞り位置に駆動する。この場合、制御部４５は、絞り込み量を、ステップＳ６で撮像素子４が受光した光量を基に算出する。
ステップＳ１０において、制御部４５は、通電カットされている先幕係止Ｍｇに通電を行なう。
【００３１】
ステップＳ１１において、制御部４５は、チャージモータ３１を逆転し、図３（ｂ）の動作（チャージカム３６の９０°逆転）により、先幕３ａのチャージを行う。このとき、先幕係止Ｍｇは、通電されているので、先幕３ａは、チャージ完了時点で電気的に係止される。
ステップＳ１２において、図３（ｂ−２）に示すように、先幕３ａのチャージが完了すると、（ステップＳ１２：ＹＥＳ）、ステップＳ１３において、制御部４５は、チャージモータ３１を正転させる。ステップＳ１４において、図３（ｂ−３）に示すように、初期位置ＳＷ４２がＯＮになり制御部４５に信号が出力されると、ステップＳ１５において、制御部４５がチャージモータ３１を停止させることにより、カメラ１の撮影準備が完了する。
【００３２】
ステップＳ１６において、制御部４５は、先幕係止Ｍｇの通電をカットして先幕３ａを走行させ、露光時間経過したと判断すると（ステップＳ１７：ＹＥＳ）、続くステップＳ１８において、後幕係止Ｍｇの通電をカットして後幕３ｂを走行させ、撮像素子５への露光が終了する。
なお、通常シーケンスでは露光終了後、制御部４５は、図３（ａ）に示す処理に従って、ミラーダウンレバー３９による絞り５１の解放への復帰、ミラーダウン、各Ｍｇのリセット動作を行い、その後、シャッタチャージレバー３７による先幕３ａ及び後幕３ｂのチャージが行う。
【００３３】
以上説明したように、本実施形態のカメラ１は、ライブビューの状態から、静止画撮影を行う場合に、ミラーダウンする必要がないため、シャッタチャージを素早く行うことができ、撮影準備までの時間短縮を図ることができ、また、消費電力を少なくすることができる。
また、カメラ１は、従来の構造を利用しているので、サイズの大型化、構造の複雑化をすることがなく、また、コストを抑えることができる。
【００３４】
［第２実施形態］
次に、本発明を適用したカメラの第２実施形態について説明する。
第１実施形態と第２実施形態との相違点は、絞り５１の駆動方式と、露光完了後の動作とであるので、主に、これらの相違点についてのみ説明する。また、以下の説明及び図面において、前述した第１実施形態と同様の機能を果たす部分には、同一の符号又は末尾に同一の符号を付して、重複する説明を適宜省略する。
図６は、本実施形態のカメラ１００の内部構造を示す斜視図である。
図６に示すように、カメラ１００は、駆動部１２０に、ギヤ２４を駆動させる絞り駆動用のステッピングモータ１２５が設けられており、ミラー２、シャッタ３とは独立して、絞りの駆動を駆動することができる。
【００３５】
図７（図７−１及び図７−２）は、本実施形態のカメラ１００の撮影動作を示すフローチャートである。
ステップＳ２において、ライブビューモードが選択され（ステップＳ２：ＹＥＳ）、ステップＳ８において、レリーズボタンが押されると（ステップＳ８：ＹＥＳ）、ステップＳ１０９に進んで、制御部１４５は、絞り込み処理を開始する。
ステップＳ１０９において、制御部１４５は、絞り係止Ｍｇ２１に通電して、絞り係止Ｍｇレバー２２の係止を解除する。これにより、絞り係止Ｍｇレバー２２がバネ２２ａのバネ力により右旋され、ボディ側絞りレバー１０６の係止が解除され、ボディ側絞りレバー１０６が回転可能な状態となる。この状態で、制御部１４５は、ステッピングモータ１２５を駆動し、ギヤ２４，２３を介して、ボディ側絞りレバー１０６を駆動する。これによりレンズ側絞りレバー５２が左旋し、絞り（図１の絞り５１参照）が絞り位置に駆動される。絞り込み量は、ステッピングモータ１２５への通電パルスにより制御される。このように、カメラ１００は、静止画の撮影時において、絞り込みを、ミラー２、シャッタ３とは独立して行う。
【００３６】
ステップＳ１８において、後幕が走行し、ステップＳ１１９において、後幕走行完了ＳＷ（図示せず）がＯＮになると、制御部１４５は、撮像素子への露光が完了したと判断し、ステップＳ１２０に進んで、ライブビューの状態への復帰処理を行う。
ステップＳ１２０において、制御部１４５は、ステッピングモータ１２５を回転させてボディ側絞りレバー１０６を回転させて、絞りを開放位置へ復帰させる。
ステップＳ１２１において、制御部１４５は、後幕係止Ｍｇ及び後幕係止Ｍｇ（図示せず）に通電を行い、ステップＳ１２２において、チャージモータ３１を逆転させ、先幕及び後幕をチャージする。先幕、後幕は、チャージ完了時点で先幕係止Ｍｇ、後幕係止Ｍｇにより電気的に係止される。
【００３７】
ステップＳ１２３において、シャッタチャージが完了すると（ステップＳ１２３：ＹＥＳ）ステップＳ１２４に進んで、制御部１４５は、チャージモータ３１を正転させる。ステップＳ１２５において、初期位置ＳＷ４２がＯＮにされると、制御部１４５は、チャージカム３６が初期位置に戻ったと判断し（ステップＳ１２５：ＹＥＳ）、ステップＳ１２６に進んで、チャージモータ３１を停止させる。
ステップＳ１２７において、制御部１４５は、先幕係止Ｍｇの通電をカットして先幕を走行させ、撮像素子を露光させることにより、ステップＳ１２８に進んで、一連の処理が終了し、カメラ１００は、ライブビューの状態に復帰する。
【００３８】
以上のように、カメラ１００は、撮影終了後（ステップＳ１１９）からライブビュー（ステップＳ１２８）までの処理において、ミラー２を駆動さることがない。すなわち、撮影終了後に、ミラー２をアップ位置に保持したまま、ライブビューの状態に復帰することができる。これは、絞りの開放位置への復帰を、第１実施形態では、ミラーダウンレバー３９、チャージレバー４０等によって行っていたのに対し、第２実施形態では、ステッピングモータ１２５等を用いて、ミラーダウンレバー３９、チャージレバー１４０等を用いずに独立して行うことができるためである。これにより、カメラ１００は、露光終了後の状態からライブビューの状態への復帰を、素早く行うことができる。
【００３９】
なお、ステップＳ１２１において、制御部１４５は、先幕係止Ｍｇ、後幕係止Ｍｇの両方に通電しているが、後幕係止Ｍｇのみ通電してもよい。この場合、ステップＳ１２４において、チャージモータ３１を正転させても、先幕は、係止されずに即座に走行する。これにより、ステップＳ１２７における先幕の走行の処理を不要にすることができるので、カメラ１００は、ライブビューの状態への復帰を、さらに素早く行うことができる。
【００４０】
以上説明したように、本実施形態のカメラ１００は、絞りを独立駆動することにより、露光終了後の状態から、ライブビューの状態への復帰を素早く行うことができる。
【００４１】
（変形形態）
以上説明した実施形態に限定されることなく、種々の変形や変更が可能であって、それらも本発明の均等の範囲内である。
（１）第１実施形態において、カメラは、ライブビューの状態から静止画の撮影を行う例を示したが、これに限定されず、ミラーがアップ位置に退避し、先幕が走行した状態から、静止画を撮影する場合であれば、先幕のチャージ時間の短縮が可能である。例えば、カメラは、動画撮影状態から静止画の撮影を行う場合に、先幕のみをチャージするようにしてもよい。
同様に、第２実施形態において、カメラは、ライブビューの状態から静止画の撮影後に、ライブビューの状態に復帰する例を示したが、これに限定されない。例えば、動画撮影状態における静止画撮影後に、動画撮影（又はライブビューの状態）に復帰する場合にも、ミラーアップさせた状態で復帰させることにより、復帰動作を素早く行うことができる。
【図面の簡単な説明】
【００４２】
【図１】本発明を適用したカメラの第１実施形態にレンズを装着した状態の断面図である。
【図２】第１実施形態のカメラ１の内部構造を示す斜視図である。
【図３】第１実施形態のミラー・チャージ駆動部によるミラーダウン、シャッタチャージを時系列的に示す平面図である。
【図４】第１実施形態の工程を示す図、及び、ミラーダウン、シャッタチャージに用いられるチャージカムの軸トルクと、チャージカムの回転角度との関係を示すグラフである。
【図５−１】第１実施形態のカメラの撮影動作を示すフローチャートである。
【図５−２】第１実施形態のカメラの撮影動作を示すフローチャートである。
【図６】本発明を適用したカメラの第２実施形態の内部構造を示す斜視図である。
【図７−１】第２実施形態のカメラの撮影動作を示すフローチャートである。
【図７−２】第２実施形態のカメラの撮影動作を示すフローチャートである。
【符号の説明】
【００４３】
１，１００：カメラ、２：ミラー、３ａ：先幕、３ｂ：後幕、４：撮像素子、６，１０６：ボディ側絞りレバー、１０：ミラー・シャッタ駆動部、２０，１２０：絞り駆動部絞り駆動部、３０：チャージ駆動部、３１：チャージモータ、３６：チャージカム、３６ａ：カム面、３６ｂ：ピン、３７：シャッタチャージレバー、３８：シャッタチャージ従動レバー、３９：ミラーダウンレバー、４０，１４０：チャージレバー、４５，１４５：制御部、５１：絞り、１２５：ステッピングモータ
【図１】
2008096606.tif 000003
【図２】
2008096606.tif 000004
【図３】
2008096606.tif 000005
【図４】
2008096606.tif 000006
【図５−１】
2008096606.tif 000007
【図５−２】
2008096606.tif 000008
【図６】
2008096606.tif 000009
【図７−１】
2008096606.tif 000010
【図７−２】
2008096606.tif 000011